(57)【要約】【課題】初心者であっても、ルアーフィッシングをより一層、楽しむことのできる疑似餌の提供を目的とする。【解決手段】先端部１０Ｔを結合して形成し、該先端部１０Ｔから後方側へ上下各側に分かれたアッパーアーム１１とロアアーム１２とを備えた疑似餌１０であって、上記ロアアーム１２に、錘２７を備え、上記アッパーアーム１１に、釣針２５を備えるとともに、該釣針２５よりも長さ方向の先端側部分に差し込んだ疑似餌本体２１の取り付けを許容する疑似餌本体取付け許容部を備え、上記先端部１０Ｔに、上記アッパーアーム１１と上記ロアアーム１２とを着脱可能に係合する係合部１５，１６を形成した疑似餌１０。【選択図】図２
2010022243.tif 000002
【特許請求の範囲】
【請求項１】
釣針を備えるとともに、該釣針よりも先端側で疑似餌本体の取り付けを許容する疑似餌本体取付け許容部を備えた疑似餌本体取付け部材と、
錘を備え、上記疑似餌本体取付け部材の下側で水底に接地される接地部材とで構成される疑似餌であって、
上記疑似餌本体取付け部材の上記疑似餌本体取付け許容部よりも先端側を、
上記接地部材に取り付け、
上記疑似餌本体取付け部材と上記接地部材との取付け部分に、互いを着脱可能に係合する係合部を形成した
疑似餌。
【請求項２】
上記疑似餌本体取付け部材の上記該釣針よりも後方部分に、ブレードを回転自在に取り付けた
請求項１に記載の疑似餌。
【請求項３】
上記釣針の針先部を、先端に進むに連れ徐々に細くなる針先形状で形成し、
上記釣針部を、該針先部の突出方向が上記釣針の胴部の軸方向に交差するまで湾曲させて形成した
請求項１、又は、２に記載の疑似餌。
【請求項４】
上記接地部材に対して上記疑似餌本体取付け部材を弾性支持する弾性支持部材を、上記接地部材と上記疑似餌本体取付け部材との間に備えた
請求項１から３のいずれかに記載の疑似餌。
【請求項５】
上記接地部材を、ロアアームで構成し、
上記疑似餌本体取付け部材を、アッパーアームで構成した
請求項１から４のいずれかに記載の疑似餌。
【請求項６】
上記ロアアームを、上記アッパーアームに対して幅方向の両側に配される一対の側方ロアアームで構成し、
上記弾性支持部材を、上記一対の側方ロアアームのそれぞれと上記アッパーアームとの間に架設した弾性ワイヤーで構成した
請求項５に記載の疑似餌。
【発明の詳細な説明】
【技術分野】
【０００１】
この発明は、釣り用のルアーに関し、詳しくは、水底を這わすように移動させて釣り対象となる魚等を引き寄せるタイプの疑似餌に関する。
【背景技術】
【０００２】
水底付近に生息する魚等を釣り対象とするルアーフィッシングを行なう場合、魚等を引き寄せるため、疑似餌を水底を這わすようにして遊泳させるが、その際、水底に有する水草や、ゴミなどに引っ掛かるという、いわゆる根掛かりが発生するという課題を有していた。
【０００３】
根掛かりすると、ライン（釣糸）が切れて疑似餌を紛失することや、引っ掛かりを外すのに手間取り、時間的ロスも大きかった。
【０００４】
このような課題に対して、特許文献１には、「２点錘アームルアー」が開示されている。  
上記「２点錘アームルアー」は、平面視Ｖ字構造のアームに対して疑似餌本体や釣針を上部に配置した構成であるため、水底を這わしたとき、疑似餌本体や釣針を、水底から一定の距離を保った姿勢で遊泳させることができる。  
よって、上記「２点錘アームルアー」は、根掛かりを防ぐことができるとともに、水底付近を遊泳している魚等に疑似餌本体をアピールし易くなり、積極的に魚等を引き寄せることができるといった効果を得ることができる。
【０００５】
しかし、特許文献１における「２点錘アームルアー」は、以下のような難点を有していた。  
「２点錘アームルアー」は、釣針と疑似餌本体との配置は、釣針が疑似餌本体の後方側に備えた形態で構成しているため、釣り対象とする魚等の種類や、周囲の環境に応じて、疑似餌本体を変更する場合、疑似餌本体の後側に取り付いている釣針が邪魔になり疑似餌本体のみをルアー自体から取り外すことが困難であった。
【０００６】
よって、他の疑似餌本体が取り付いた別のルアーへ交換する必要があり、この場合、釣糸に対して着脱するという「２点錘アームルアー」ごと全体を交換する作業が必要となり、非常に手間を要し、面倒であった。
【特許文献１】実用新案登録第３１３７５４２号公報
【発明の開示】
【発明が解決しようとする課題】
【０００７】
そこで、この発明は、初心者であっても、より一層、ルアーフィッシングを楽しむことのできる疑似餌の提供を目的とする。
【課題を解決するための手段】
【０００８】
本発明は、釣針を備えるとともに、該釣針よりも先端側で疑似餌本体の取り付けを許容する疑似餌本体取付け許容部を備えた疑似餌本体取付け部材と、錘を備え、上記疑似餌本体取付け部材の下側で水底に接地される接地部材とで構成される疑似餌であって、上記疑似餌本体取付け部材の上記疑似餌本体取付け許容部よりも先端側を、上記接地部材に取り付け、上記疑似餌本体取付け部材と上記接地部材との取付け部分に、互いを着脱可能に係合する係合部を形成したことを特徴とする。
【０００９】
上記構成により、係合部の係合を外す（解除する）ことで、上記疑似餌本体取付け部材と上記接地部材とを分離させることができるため、疑似餌本体を上記疑似餌本体取付け部材の先端部分から抜き取り、他の疑似餌本体を疑似餌本体取付け許容部に付けかえることで、疑似餌本体の交換を容易に行うことができる。
【００１０】
このため、疑似餌本体のみを容易に交換することができるため、疑似餌そのものを交換する場合のように、例えば、疑似餌自体の先端部分に取り付けている釣糸を解き、再度、別の疑似餌を取り付けるために釣糸で結び直すといった手間を要さず、容易に交換することができる。
【００１１】
よって、天候や風などの環境の変化や、釣ろうとする魚等の種類に応じて、適切な疑似餌本体をスムーズに取り付けて釣りをすることができる。
【００１２】
なお、本発明の疑似餌を用いてルアーフィッシングで釣り上げる獲物の対象となる魚等には、魚類に限らず、蛸やイカなどの頭足類、エビやカニなどの甲殻類などといった水棲生物であれば特に限定しない。
【００１３】
この発明の態様として、上記疑似餌本体取付け部材の上記該釣針よりも後方部分に、ブレードを回転自在に取り付けて構成することができる。
【００１４】
上記構成により、ブレードが回転運動することで生じる光沢、振動、泡等が小魚が泳いでいる状況と似ている状況を再現することができ、上記疑似餌本体とともに、魚等を引き寄せることができるため、容易に魚等を釣り上げることができ、初心者でもルアーフィッシングを楽しむことができる。
【００１５】
さらに、上記ブレードを上記疑似餌本体取付け部材の上記該釣針よりも後方部分に取り付けているため、疑似餌本体を、上記係合部を外して上記疑似餌本体取付け部材の上記疑似餌本体取付け許容部よりも先端側から上記疑似餌本体取付け許容部に対して、ブレードが邪魔になることなくスムーズに取り付け、或いは、取り外しを行なうことができる。
【００１６】
またこの発明の態様として、上記釣針の針先部を、先端に進むに連れ徐々に細くなる針先形状で形成し、上記釣針部を、該針先部の突出方向が上記釣針の胴部の軸方向に交差するまで湾曲させて形成することができる。
【００１７】
このように上記釣針は、上記釣針部を、該針先部の突出方向が胴部の軸方向に交差するまで湾曲させて形成しているため、釣針にかかった魚等を引き上げる際に、水中において魚等が針先方向へ不測に動いても針が抜けて逃がしてしまうといった事態を確実に防止することができる。
【００１８】
さらに、上記釣針は、上記針先部分を、上述したように先端に進むに連れ徐々に細くなる針先形状、すなわち、返し部を有しない針先形状で形成しているため、釣り上げた魚等から釣針を意図的に抜く際には、引っ掛かることなく釣針を容易に抜き取ることができる。
【００１９】
したがって、初心者でも釣針を外す作業に手間取ることがなく、魚等を傷めることや弱めてしまうことがなくリリースすることもできる。
【００２０】
またこの発明の態様として、上記接地部材に対して上記疑似餌本体取付け部材を弾性支持する弾性支持部材を、上記接地部材と上記疑似餌本体取付け部材との間に備えて構成することができる。
【００２１】
上記構成により、上記上記疑似餌本体取付け部材は、弾性支持部材により弾性支持することで、水底を這わせたとき、その際に作用する水圧により揺動し、より一層、小魚が泳いでいる雰囲気を醸し出すことができ、効果的に魚等を引き寄せることができる。
【００２２】
またこの発明の態様として、上記接地部材、又は／及び、上記疑似餌本体取付け部材は、例えば、板状の部材や塊状の部材といった様々な形態で形成してもよいが、上記接地部材を、ロアアームで構成し、上記疑似餌本体取付け部材を、アッパーアームで構成することが好ましい。
【００２３】
上記構成のように構成すれば、全体を軽量に構成することができ、また、疑似餌本体やブレード以外の部分を目立たない形態とすることができるため、より一層、魚等を引き寄せることができる。
【００２４】
またこの発明の態様として、疑似餌は、上記ロアアームを、上記アッパーアームに対して幅方向の両側に配される一対の側方ロアアームで構成し、上記弾性支持部材を、上記一対の側方ロアアームのそれぞれと上記アッパーアームとの間に架設した弾性ワイヤーで構成することができる。
【００２５】
上記構成により、弾性ワイヤーの付勢力に抗してアッパーアームを、上記一対のロアアームの側へ倒伏させ、アッパーアームに備えた釣針を、上記弾性ワイヤーに掛着することで、アッパーアームがロアアーム側へ倒伏したコンパクトな形態へ留めておくことができる。
【００２６】
したがって、持ち運びの際も嵩張らずに容易に持ち運ぶことができる。さらに、アッパーアームに備えた釣針を一対の側方ロアアームの間に配した形態とすることができるため、釣針の側方から人や物が該釣針に接触することを防ぐことができ、安全性を確保することができる。
【００２７】
さらにまた、アッパーアームに備えた釣針と、上記弾性ワイヤーとの掛着を外せば、弾性ワイヤーの弾性力により元の形状に自動的に復元し、直ぐに疑似餌として使用することができる。
【発明の効果】
【００２８】
本発明により、初心者であっても、ルアーフィッシングをより一層、楽しむことのできる疑似餌を提供することができる。
【発明を実施するための最良の形態】
【００２９】
この発明の一実施形態を以下図面と共に説明する。  
本実施形態の疑似餌１０は、図１〜図４に示すように形成している。  
図１は、疑似餌１０の右側面図であり、図２は、一部拡大して示した疑似餌１０の幅方向の中間部における断面図であり、後述する疑似餌本体２１の一部を省略して示している。図３は、疑似餌１０の平面図であり、図４は、疑似餌１０の正面図である。  
なお、図１から図４は、それぞれ、水底を這うように進む状態における疑似餌１０を各方向から視た図であり、以下では、このときの擬似餌１０の姿勢を基準として前後方向、幅方向を設定して説明を行なう。
【００３０】
上記擬似餌１０は、いずれもステンレス製の針金で形成したアッパーアーム１１とロアアーム１２とを備え、これらアッパーアーム１１とロアアーム１２とは、先端部１０Ｔにおいて互いに結合して形成し、アッパーアーム１１は、上記先端部１０Ｔより後方側部分がロアアーム１２に対して斜め上方へ傾いた形状で形成している。
【００３１】
アッパーアーム１１は、直線形状で形成し、ロアアーム１２は、長手方向の所定部位を屈曲した屈曲形状で形成している。  
詳しくは、図２、及び、図４に示すように、ロアアーム１２は、長手方向における先端部分、中間部分、後方部分の各部位を、先端ロアアーム部１２ａ、中間ロアアーム部１２ｂ、後方ロアアーム部１２ｃとして区分けして形成している。中間ロアアーム部１２ｂは、水底を這わしたとき、略水平の状態となる直線形状で形成し、先端ロアアーム部１２ａは、中間ロアアーム部１２ｂに対して右側面視時計回りに略３０度傾斜した形状で形成し、後方ロアアーム部１２ｃは、中間ロアアーム部１２ｂに対して右側面視時計回りに略３０度傾斜した形状で形成している。  
なお、上記アッパーアーム１１は、ロアアーム１２の中間ロアアーム部１２ｂに対して右側視反時計回りに略３０度傾斜した形状で形成している。
【００３２】
さらに、上記ロアアーム１２は、図３に示すように、上記先端部１０Ｔから上記アッパーアーム１１に対して幅方向の両側に分かれた一対の側方ロアアーム１３，１３で構成し、一対の側方ロアアーム１３，１３は、ロアアーム１２を構成する一本の針金を平面視略６０度の内角を有するよう平面視Ｖの字形状で形成している。
【００３３】
一対の側方ロアアーム１３，１３のそれぞれとアッパーアーム１１との間には、図２に示すように、弾性ワイヤー１４を弧状に撓み変形させた状態で架設し、該弾性ワイヤー１４の付勢力（復元力）により、アッパーアーム１１をロアアーム１２に対して斜め上方に傾斜した形態に保たれるよう弾性支持している（図２参照）。
【００３４】
また、ロアアーム１２の先端部１０Ｔには、円環状に形成した円環状係合部１５を備え、アッパーアーム１１の先端部１０Ｔには、直線状の先端部を後方側へ折り返して、上記円環状係合部１５に係脱可能に形成した折返し係合部１６を備えている（図２中の領域Ｘの拡大図参照）。
【００３５】
さらに、アッパーアーム１１の先端部１０Ｔを折り返した折り返し部分の端部は、アッパーアーム１１の長さ方向に対して開くように屈曲させ、後述する疑似餌本体２１の先端部を挟持した状態に押さえて固定する押さえ片３２を形成している。
【００３６】
上記アッパーアーム１１には、その長さ方向の略中間部分に釣針１７を取り付け、該釣針１７の長さ方向の後方側には、ブレード１８を回転自在に取り付けている（図２参照）。
【００３７】
上記アッパーアーム１１の長さ方向の上記釣針１７より先端側は、蛸形に形成した疑似餌本体２１を差し込み可能に形成するとともに、差し込んだ疑似餌本体２１の取り付けを許容する疑似餌本体取付け許容部２８を形成している（図１、及び、図２参照）。
【００３８】
上記疑似餌本体２１は、プラスチック製であり、弾丸形状で形成したヘッド部２２とスカート部２３とで一体に形成している。  
疑似餌本体２１は、ヘッド部２２とスカート部２３との内部で連通し、アッパーアーム１１を挿通可能に貫通した貫通孔２４を備えた筒状で形成している（図２参照）。
【００３９】
上記スカート部２３は、釣針１７を覆うように取り付けることができよう、全周に亘って、複数箇所、長さ方向に細長く切断して形成している。
【００４０】
上記釣針１７は、主釣針２５と補助釣針２６とで構成し、これら主釣針２５と補助釣針２６とは、アッパーアーム１１に対して幅方向の各側に備えている（図４参照）。さらに、主釣針２５は、補助釣針２６に対して幅方向の外側で針先部分２５ａが前方へ突出するよう形成している（図４参照）。
【００４１】
主釣針２５と補助釣針２６とは、いずれの針先部分２５ａ，２６ａも、先端に進むに連れ徐々に細くなる針先形状、すなわち、通常、かかった魚等を外れ難くするために先端部に形成される返し部（イケ、モドリ）を有しない形状で形成している（図２中の領域Ｙの拡大図参照）。
【００４２】
さらに、主釣針２５についてのみ針先部２５ａを、該針先部２５ａの突出方向が胴部２５ｂの軸方向に交差するまで湾曲させて形成している。しかも、主釣針２５は、胴部２５ｂから腰曲げ部２５ｃにかけて、胴部２５ｂ（基部）に対して針先側へ大きく迫り出した湾曲形状で形成している（図２中の領域Ｙの拡大図参照）。
【００４３】
ブレード１８は、横断面が円弧状に形成したウィローリーフと称するブレード１８を用い、アッパーアーム１１の後端部にスイベル２９を介して回転自在に取り付けられている。
【００４４】
なお、ブレード１８は、上述したウィローリーフに限らず、例えば、コロラドブレードやインディアナブレードといった他のものを用いてもよい。
【００４５】
一方、ロアアーム１２の後端部には、釣鐘状に形成した錘２７を備え、水底を這うように進行している状態において、錘２７が水底に接地され、全体を支持した状態となる（図２、及び、図４参照）。  
なお、錘２７は、真鍮により形成しているが、真鍮に限らず、例えば、ステンレス、銅、チタン、又は、鉛などの他の材質で形成してもよい。
【００４６】
上述した構成の疑似餌１０は、以下のような作用、効果を奏することができる。  
疑似餌１０を取り付けた釣糸５５を牽引することで、疑似餌１０を、図１〜図４に示すように、水底を這うように遊泳させることができる。
【００４７】
上記疑似餌１０は、一対の側方ロアアーム１３，１３により平面視Ｖの字形で形成したロアアーム１２を備えているため（図３参照）、水底に有する水草やゴミなどの障害物（図示せず）を掻き分けるようにして進行することができ、根掛かりを防止することができる。
【００４８】
さらに、上記疑似餌１０は、水底を這うように進行しているとき、アッパーアーム１１とロアアーム１２の特に後方ロアアーム部１２ｃとで右側面視略くの字形で形成している（図２参照）。加えて、擬似餌１０は、根掛かりし易い釣針１７や疑似餌本体２１をロアアーム１２に対して上方に位置するアッパーアーム１１に取り付けた形態で構成している。このため、疑似餌１０は、水底を這うようにして進行させたとき、水底に有する障害物にこれら釣針１７や疑似餌本体２１が引っ掛かることを未然に防止することができる構成であり、根掛かりを確実に防止することができる。
【００４９】
さらに、側方ロアアーム１３の先端ロアアーム部１２ａは、進行している状態において水平状態となる中間ロアアーム部１２ｂに対して３０度上方へ傾いた形状、すなわち、跳ね上がった形状で形成しているため、前方に障害物があっても、この障害物を乗り上げるようにして進行することができ、根掛かりすることを防止することができる。
【００５０】
また、疑似餌１０は、釣糸５５により牽引すると、幅方向の両側に有する一対の側方ロアアーム１３，１３の後端部が、水底に接地した状態で該水底を這うように遊泳させることができるため、遊泳を止めた場合も横に倒れてしまうことがない。
【００５１】
さらにまた、疑似餌１０は、上記ロアアーム１２と上記アッパーアーム１１との間に、上記ロアアーム１２に対して上記アッパーアーム１１を弾性支持する弾性ワイヤー１４を備えている。この弾性ワイヤー１４の弾性力により、疑似餌本体２１が幅方向に蛇行運動し、うねり効果を発生させることで、魚等を効率的に引き寄せることができる。さらにまた、疑似餌１０を牽引しない停止した状態でも海流などによる水圧の変化により揺動し、魚等を引き寄せることができるため、根掛かりをより一層、防止することができる。
【００５２】
さらにまた、疑似餌１０は、水底に接地するロアアーム１２の後端部に錘２７を備えることにより、全体の重心を低い位置に保つことができる。このため、弾性ワイヤー１４により弾性支持されたアッパーアーム１１がロアアーム１２の上方で振動しても全体を安定した状態に保つことができる。
【００５３】
上記アッパーアーム１１の長さ方向の後方部分に、スイベル２９を介して取り付けたブレード１８が回転運動するため、その際に発生する光沢、振動、泡などにより、周囲の魚等の注意を惹いて引き寄せることができる。
【００５４】
さらに、アッパーアーム１１が弾性ワイヤー１４の弾性により揺動するため、ブレード１８には、回転運動とともに、揺動運動も加わった複合的な運動により、より一層うねりが発生し、周囲の魚等を引き寄せることができる。
【００５５】
また、疑似餌１０は、疑似餌本体２１を他の疑似餌本体２１へと容易に交換することができる。  
以下では、疑似餌本体２１を他の疑似餌本体２１へと交換する手順について図５を用いて説明する。
【００５６】
まず、疑似餌本体２１をアッパーアーム１１の長さ方向の後方側へ退避させ、押さえ片３２による押さえ状態を解除する（図示せず）。そして、図５（ａ）に示すように、ロアアーム１２の円環状係合部１５とアッパーアーム１１の折返し係合部１６との係合を外す。詳しくは、アッパーアーム１１を、その先端側の突出方向（図５（ａ）中の矢印参照）へスライドさせることで、折返し係合部１６が円環状係合部１５に接触したときに受ける反力により撓み変形し（図５（ａ）中の仮想線で示した折返し係合部１６参照）、円環状係合部１５と折返し係合部１６との係合を外すことができる。
【００５７】
さらに、図５（ｂ）に示すように、アッパーアーム１１の先端部を、ロアアーム１２の先端部に対して上方へ配されるよう移動させる（図５（ｂ）中の矢印参照）。  
なお、アッパーアーム１１は、ロアアーム１２に対して、弾性ワイヤー１４により弾性支持しているため、該弾性ワイヤー１４を撓み変形させることで上述したようにアッパーアーム１１の動作をスムーズに行なうことができる。
【００５８】
そして、疑似餌本体取付け許容部２８に差し込みにより取り付いた疑似餌本体２１をアッパーアーム１１の先端部から引き抜くことで、図６（ｃ）に示すように、疑似餌本体取付け許容部２８から疑似餌本体２１を取り外すことができる。
【００５９】
さらに、図６（ｄ）に示すように、別の疑似餌本体２１Ａをアッパーアーム１１の先端側から差込み、疑似餌本体２１Ａの先端部を、押さえ片３２により押さえることにより、疑似餌本体取付け許容部２８に取り付けることができ、図６（ｅ）に示すように、上述とは逆の手順で円環状係合部１５と折返し係合部１６とを係合することで、疑似餌本体取付け許容部２８から疑似餌本体２１が抜けないよう留めておくことができる。
【００６０】
このように、疑似餌１０は、疑似餌本体２１のみを容易に交換することができるため、疑似餌１０そのものを交換する場合のように疑似餌１０の先端部１０Ｔに取り付けている釣糸５５を解き、交換する別の疑似餌１０の先端部１０Ｔに釣糸５５を結び直すといった手間を要さず、容易に交換することができる。
【００６１】
よって、疑似餌１０は、例えば、天候や風などの環境の変化、釣ろうとする魚等の種類に応じて、或いは、疑似餌本体２１が障害物に接触するなどして破損した場合でも、適宜、別の疑似餌本体２１Ａに容易に交換して釣りをすることができる。
【００６２】
さらに、疑似餌１０は、ブレード１８、及び、弾性ワイヤー１４を、アッパーアーム１１の疑似餌本体取付け許容部２８よりも長さ方向の後方部分に取り付けた構成であるため、上述したアッパーアーム１１の先端側から疑似餌本体２１，２１Ａの取り付け、取り外し作業を、これらブレード１８、及び、弾性ワイヤー１４によって阻害されることなくスムーズに行なうことができる。
【００６３】
続いて、疑似餌１０が奏する他の作用、効果について図７、及び、図１２を用いて説明する。  
なお、図７は、疑似餌１０のうち主釣針２５、及び、アッパーアーム１１のみを示した疑似餌１０の作用説明図である。図１２は、従来の釣針１００，１０１を備えた疑似餌の作用説明図である。図７、図１２は、いずれも釣針にかかった蛸Ｏを釣り上げようとしている様子を示している。
【００６４】
まず、釣りの対象となる魚等（例えば、蛸Ｏ）は、水底付近において疑似餌本体２１（図示せず）目掛けて食いつくことにより主釣針２５にかかるが、該蛸Ｏを引き上げようとする際に、蛸Ｏは、例えば、上方（Ｄ１方向）へ逃げようと抵抗する。
【００６５】
このとき、図１２（ａ）に示すように、針先部に返し部の有しない従来の釣針１００の場合、針先部の突出方向Ｌ４は、Ｌ１方向（蛸Ｏが上方へ逃げようとする方向Ｄ１に対して垂直方向）に対して上方向となる。すなわち、釣針１００の針先部の突出方向Ｌ４は、蛸Ｏが上方へ逃げようとする方向Ｄ１に対して鋭角になる方向に突出することになる。
【００６６】
このため、蛸Ｏが上方へ逃げようと抵抗すれば、容易に釣針１００が抜けて結果的に蛸Ｏを逃がしてしまうおそれがあった。
【００６７】
これに対して、疑似餌１０は、図７の一部拡大図に示すように、主釣針２５の針先部２５ａを、該針先部２５ａの突出方向Ｌ２が主釣針２５の胴部２５ｂの軸方向Ｌ３にやがて交差するまで湾曲させて形成している。
【００６８】
換言すると、図７に示すように、主釣針２５の針先部２５ａは、その突出方向Ｌ２がＬ１方向に対して下側に向けて形成している。すなわち、主釣針２５の針先部２５ａの突出方向Ｌ２は、蛸Ｏが上方へ逃げようとする方向Ｄ１に対して鈍角となる方向に突出することになる。
【００６９】
このため、釣針２５は、針先部分２５ａに返し部を有しなくても、かかった蛸Ｏが上方へ逃げようと抵抗しても、釣針２５にかかった状態に保つことができ、確実に蛸Ｏを釣り上げることができる。
【００７０】
さらに、図１２（ｂ）に示すように、針先部分に返し部１０１ａを形成した従来の一般的な釣針１０１である場合、釣り上げた魚等から釣針１０１を抜く際に、返し部１０１ａが邪魔になり、釣針１０１を外す作業に手間取ることや、魚等を傷めていまうといった事態が生じていた。
【００７１】
これに対して、疑似餌１０は、上記主釣針２５の針先部分２５ａを、先端に進むに連れ徐々に細くなる針先形状、すなわち、返し部を有しない針先形状で形成しているため（図７中の一部拡大図参照）、釣り上げた魚等から主釣針２５を意図的に抜く際には、主釣針２５を容易に抜き取ることができる。  
したがって、主釣針２５を外す作業に手間取ることがなく、また、魚等を傷めることや弱めてしまうことがなく釣った魚等をリリースすることもできる。
【００７２】
また、疑似餌１０は、不使用時において、図８（ａ），（ｂ）に示すように、コンパクトな形態に留めておくことができる。  
詳しくは、弾性ワイヤー１４の付勢力に抗してアッパーアーム１１を、上記ロアアーム１２の側へ降下させる。この状態で、アッパーアーム１１の幅方向の両側において主釣針２５の上方から上記弾性ワイヤー１４を配して、主釣針２５を弾性ワイヤー１４に幅方向の各側で掛着することで、疑似餌１０を、図２に示す形態から図８（ａ），（ｂ）に示す形態、すなわち、平面視Ｖ字形をした一対の側方ロアアーム１３，１３の間にアッパーアーム１１を配した全体として平坦状の形態へと変更することができる。
【００７３】
よって、疑似餌１０は、嵩張らないため、容易に持ち運ぶことができる。さらに、釣針１７の前方から側方にかけて側方ロアアーム１３を配した形態となるため、持ち運びの際に、不用意に釣針１７が他の物に引っ掛かることや、釣針１７により怪我をすることを防止することができる。
【００７４】
さらにまた、アッパーアーム１１に備えた主釣針２５に掛着した上記弾性ワイヤー１４を外せば、弾性ワイヤー１４の弾性力により元の姿勢に自動的に復元し、直ぐに疑似餌１０として使用することができる。
【００７５】
また、この発明は、上述した実施形態の形態に限定せず、その他にも多くの形態で構成することができる。  
例えば、本発明の疑似餌は、上述した実施例における疑似餌１０のように、水底を這わした状態で遊泳したとき、ロアアーム１２の後方ロアアーム部１２ｃの後端部のみが水底へ点接触する形態に限らず、他の実施形態で形成することができる。
【００７６】
例えば、図９（ａ）に示すように、疑似餌４０は、ロアアーム４２の長さ方向の所定部位、詳しくは、先端側を除く全体部分が水底へ接地する形態で形成することができる。
【００７７】
上記構成により、疑似餌４０は、ロアアーム４２の水底への接地面積が大きくなるため、脆弱な水底であっても、安定して接地することができる。
【００７８】
さらに、図９（ｂ）に示すように、疑似餌５０は、ロアアーム５２の長さ方向の先端側を除く全体部分が水底へ接地する形態で形成するとともに、先端側を、先端部１０Ｔへ進むに連れ、上方へ向けて湾曲する形態で形成することもできる。  
上記構成により、疑似餌５０は、水底を這わすように移動させたとき、水底に有する水草やゴミといった障害物に突っ込むことなく、これら障害物をスムーズに乗越えて移動することができ、根掛かりすることを確実に防止することができる。
【００７９】
さらにまた、図１０に示すように、疑似餌６０は、ロアアーム６２の後方ロアアーム部６２ｃをアッパーアーム１１と平行に形成してもよい。
【００８０】
上記構成により、疑似餌６０は、幅小になるため、水底を這わすように移動させたとき、水の抵抗を緩和することができるため、スムーズな移動が可能となり、また、コンパクトな形態にすることができる。
【００８１】
また、本発明の疑似餌は、図１１に示すような疑似餌７０で構成することができる。  
詳しくは、疑似餌７０は、アッパーアーム１１の軸方向の後方側にブレード１８を備えておらず、ロアアーム７２の先端部に有する円環状係合部１５にブレード取付けアーム７１を一体に固着し、該ブレード取付けアーム７１の先端部にスイベル２９を介してブレード１８を回動自在に取り付けられている。
【００８２】
上記ブレード取付けアーム７１は、全体として側面視くの字形で形成している。より詳しくは、ロアアーム１２の先端部から略上方へ伸びる針金形状で形成し、上部が後傾した形状となるよう中途部分に釣糸５５を取り付け可能に屈曲した屈曲部７１ａ（アイ）を形成している。
【００８３】
疑似餌７０は、上記屈曲部７１ａが先端部１０Ｔとなり、上記屈曲部７１ａに釣糸５５を取り付けて牽引することで、水底を這うようにして遊泳させることができる。
【００８４】
さらに、ロアアーム７２を構成する一対の側方ロアアーム７３は、図９（ｂ）に示した疑似餌５０の側方ロアアーム５３と同様に、中間ロアアーム部７２ｂ、及び、後方ロアアーム部７２ｃを水底に接地されるよう水平に形成するとともに、先端ロアアーム部７２ａと中間ロアアーム部７２ｂとの連結部分を、先端部１０Ｔへ進むに連れ、上方へ向けて湾曲する形態で形成している。
【００８５】
さらに、錘７４は、上述したように、側方ロアアーム１３の後端部に備えた構成でなく、中間ロアアーム部７２ｂ、及び、後方ロアアーム部７２ｃの長さ方向の略全体に備えた形態で形成している。
【００８６】
より詳しくは、錘７４は、薄肉な板状の部材を中間ロアアーム部７２ｂ、及び、後方ロアアーム部７２ｃの各長さ方向に配するとともに、外周全体に包み込むことで中間ロアアーム部７２ｂ、及び、後方ロアアーム部７２ｃに取り付けている。
【００８７】
上記構成により、疑似餌５０は、水底を這わせるように移動させたとき、ブレード１８を、より目立ち易い先端側の上方で、しかも、疑似餌本体２１のスカート部２３に隠蔽されることなく回転するため、釣り対象となる周囲の魚等を積極的に引き寄せることができる。
【００８８】
さらに、疑似餌５０は、錘７４を、上述したように、中間ロアアーム部７２ｂ、及び、後方ロアアーム部７２ｃの長さ方向の略全体に巻き付けるようにして形成することにより、水底に引っ掛かることなくスムーズに移動させることができる。
【００８９】
なお、上記ブレード取付けアーム７１は、その基部をロアアーム１２の円環状係合部１５に固着しているが、疑似餌本体２１を疑似餌本体取付け許容部２８に対して着脱する際に、ブレード取付けアーム７１が邪魔になることなく、上述した要領と同様の要領で該円環状係合部１５と折返し係合部１６とを係脱することにより、疑似餌本体２１を着脱することができる。
【００９０】
また、ブレード１８は、ブレード取付けアーム７１の上端部と、アッパーアーム１１の軸方向の後方側との双方に備えてもよく、或いは、その他の箇所に備えた構成であってもよい。
【００９１】
上述した実施形態と、この発明の構成との対応において、
主釣針２５は、釣針１７に対応し、
円環状係合部１５、及び、折返し係合部１６は、係合部に対応するも、
この発明は、上述の実施形態の構成のみに限定されるものではなく、多くの実施の形態を得ることができる。
【図面の簡単な説明】
【００９２】
【図１】疑似餌の右側面図。
【図２】一部拡大して示した疑似餌の構成説明図。
【図３】疑似餌の平面図。
【図４】疑似餌の正面図。
【図５】疑似餌に取り付けた疑似餌本体を交換する作用説明図。
【図６】疑似餌に取り付けた疑似餌本体を交換する作用説明図。
【図７】疑似餌に取り付けた釣針の作用説明図。
【図８】疑似餌をコンパクトな形態へ変更した形態を示す作用説明図。
【図９】他の実施形態の疑似餌の右側面図。
【図１０】他の実施形態の疑似餌の平面図。
【図１１】他の実施形態の疑似餌の右面図。
【図１２】従来の疑似餌に取り付けた釣針の説明図。
【符号の説明】
【００９３】
１０，４０，５０，６０，７０…疑似餌
１０Ｔ…先端部
１１…アッパーアーム
１２，４２，５２，６２，７２…ロアアーム
１３，４３，５３，６３，７３…側方ロアアーム
１４…弾性ワイヤー
１５…円環状係合部
１６…折返し係合部
１８…ブレード
２１，２１Ａ…疑似餌本体
２８…疑似餌本体取付け許容部
２５…主釣針
２５ａ…針先部分
２７，７４…錘
【図１】
2010022243.tif 000003
【図２】
2010022243.tif 000004
【図３】
2010022243.tif 000005
【図４】
2010022243.tif 000006
【図５】
2010022243.tif 000007
【図６】
2010022243.tif 000008
【図７】
2010022243.tif 000009
【図８】
2010022243.tif 000010
【図９】
2010022243.tif 000011
【図１０】
2010022243.tif 000012
【図１１】
2010022243.tif 000013
【図１２】
2010022243.tif 000014